(57)【要約】【課題】芯材を被覆した軸体を削って使用する鉛筆などの筆記具やアイシャドーなどの化粧品などに利用可能な軸体であって、削る際の力加減を任意に調整できる軸体を提供する。【解決手段】芯材を被覆する軸体２を、熱可塑性合成樹脂２１に木粉２２と熱膨張性マイクロカプセル２３を配合した樹脂成形体で形成する。熱膨張性マイクロカプセル２３を配合して発泡成形するので、発泡剤から生じる発泡ガスがマイクロカプセルの殻内に留まり、発泡ガスが熱可塑性樹脂２１から抜けて発泡倍率が変動することがなく、所定の発泡倍率に容易に成形できる。これによって硬質の熱可塑性樹脂２１を用いても軸体がさくりと軽く削れるような硬さに調整できる。【選択図】        図２
2009274330.tif 000002
【特許請求の範囲】
【請求項１】
芯材を被覆し、本体部分を構成するようになされた軸体であって、該軸体が熱可塑性合成樹脂に木粉と熱膨張性マイクロカプセルを配合して成形された樹脂成形体であることを特徴とする軸体。
【発明の詳細な説明】
【技術分野】
【０００１】
本発明は、芯材を被覆した軸体を削って使用する鉛筆などの筆記具やアイシャドーなどの化粧品などに利用可能な軸体であって、削る際の力加減を任意に調整できる軸体を提供するものである。
【背景技術】
【０００２】
鉛筆やアイシャドーなどの、軸体を削って利用する製品については様々なものが利用されており、これらに用いる軸体についても種々の発明が開示されている。
【０００３】
例えば軸体に用いる部材として特許文献１には、スチレン系樹脂２０〜９７重量％、および（Ｂ）セルロース系物質８０〜３重量％〔ただし、（Ａ）＋（Ｂ）＝１００重量％〕の合計量１００重量部に対し、（Ｃ）セルロース系顔料０．０５〜２０重量部を配合したことを特徴とする熱可塑性樹脂組成物が開示されている。
【０００４】
【特許文献１】特開平１０−２１９０７８号公報
【発明の開示】
【発明が解決しようとする課題】
【０００５】
しかしながら、特許文献１に記載の如き熱可塑性樹脂組成物は、セルロース系物質を配合することで軸体に木質感を出すことはできるが、樹脂としてゴム質のものを選択した場合は軸体を削る際に使用する刃物の側面と軸体の削り面との摩擦が大きなものとなるので、削るために大きな力を入れなければならない。また、硬質の樹脂を選択した場合も、軸体自体が硬くなるので、軸体を削るために大きな力を要することになる。また、物理発泡剤や化学発泡剤によって発泡成形する実施形態についても記載されているが、これらの発泡剤による発泡成形では成形中に樹脂内からガスの一部が抜けていくため、成形品を所定の発泡倍率に調整することが難しく、また、成形品の表面に発泡ガスの漏れた孔が生じるという問題点があった。
【０００６】
そこで本発明は、表面に孔などの欠陥が生じず、削る際の力加減を任意に調整できる軸体を提供するものである。
【課題を解決するための手段】
【０００７】
上記目的を達成するため、本発明は以下のような構成としている。
すなわち本発明に係る軸体は、芯材を被覆し、本体部分を構成するようになされた軸体であって、該軸体が熱可塑性合成樹脂に木粉と熱膨張性マイクロカプセルを配合して成形された樹脂成形体であることを特徴としている。
【０００８】
本発明に係る軸体によれば、熱可塑性樹脂に木粉を配合して成形するので、軸体の外壁や削り面の質感が木に近いものとなる。また、熱可塑性樹脂に熱膨張性マイクロカプセルを配合して発泡成形するので、発泡剤から生じる発泡ガスがマイクロカプセルの殻内に留まるため、発泡ガスが熱可塑性樹脂から抜けて発泡倍率が変動することがなく、軸体の表面にガス抜けによる孔が生じることもない。また、発泡ガスが熱可塑性樹脂から抜けて発泡倍率が変動することがないので、所定の発泡倍率に成形することが容易であり、硬質の熱可塑性樹脂を用いても軸体がさくりと軽く削れるような硬さになるよう発泡成形させることができる。またアイシャドーなどの化粧品などでは、軸体の材料に木材を用いたときに芯材に含有させている成分が軸体に浸透していく場合があったが、軸体に熱可塑性樹脂を配合して成形するので、軸体が芯材の成分を浸透させにくい性状とすることができる。
【発明の効果】
【０００９】
本発明に係る軸体によれば、軸体を適度な力で削れるように発泡倍率を容易に調整して成型することが可能であり、軸体の表面にガス抜けの孔などの欠陥が生じない。
【発明を実施するための最良の形態】
【００１０】
本発明の実施の形態を図面に基づき具体的に説明する。
図１は軸体を削って使用する鉛筆と化粧品およびそれらの軸体の、実施の一形態を示す外観図であり、図２は本発明に係る軸体の、実施の一形態の断面拡大図である。
【００１１】
図面において、１は芯材である。一般に、芯材１は、ポリ塩化ビニル、ポリ塩化ビニリデン、ブチルゴムといった適宜の有機結合材や粘土などの無機結合材と、黒鉛、タルクといった体質材とを主材として使用し、必要に応じて、カーボンブラック、無定形シリカなどの充填材、フタル酸エステルなどの可塑剤、メチルエチルケトン、水などの溶剤、ステアリン酸塩などの安定剤、ステアリン酸などの滑材を併用し、これらの材料を混練し、細線状に押出成形した後、焼成処理を施して製造している。
【００１２】
２は軸体である。図１の（イ）（ロ）は筆記用として一般的に用いられている鉛筆の実施の一形態を示す斜視図であり、（ハ）は化粧品として用いられているアイシャドーの、実施の一形態を示す斜視図である。（イ）（ハ）は軸体２が円形の断面に形成され、（ロ）は軸体２が六角形の断面に形成されている。図１の（ニ）（ホ）はそれぞれ図１（イ）（ロ）の鉛筆に芯材１が取り付けられる前の軸体２の状態を示す斜視図である。（ニ）は軸体２が半円形状の断面を持つ２体の柱体に形成され、断面の弦の部分の中央に芯材１を固定するための溝が形成されている。この溝に芯材１を据え、上下から前記の２体の柱体で挟み込むように接着固定して鉛筆を形成する。（ホ）は、六角柱形状の軸体２の中央に芯材１を固定するための貫通孔が長手方向に沿って形成されており、この貫通穴に芯材１を挿入固定して鉛筆を形成する。また、鉛筆の軸体２の外側面をそのままにして木質感を表わしてもよいが、美観を向上させたり、（ニ）の軸体２の接着部分を隠蔽するために軸体２の外側面に塗装を施してもよい。
【００１３】
軸体２は熱可塑性樹脂２１に木粉２２と熱膨張性マイクロカプセル２３を射出成形機に供給し、射出成形機内で混練し射出して軸体２の形状に成形している。軸体２に使用する熱可塑性樹脂２１の材質として、塗装性のよいＡＢＳ樹脂を好適に用いることができるが、これに限らず高密度ポリエチレン、ポリプロピレン、ポリアミド（ナイロン）、ポリアセタール，ポリブチレンテレフタレート、ポリフェニレンサルファイド、ポリエチレンテレフタレート、シンジオタクチック・ポリスチレン、ポリエーテルエーテルケトン、液晶ポリマー、フッ素樹脂、ポリエーテルニトリル等を用いることができる。また軸体２を形成する樹脂組成物には、熱可塑性樹脂と木粉と熱膨張性マイクロカプセルの他に、可塑剤、安定剤、顔料等を必要に応じて配合してもよい。
【００１４】
また前記の熱可塑性樹脂２１に配合する木粉２２については、熱可塑性樹脂２１、４０〜９５重量％に対して木粉２２を６０〜５重量％配合できる。木粉２２の材質は射出成形により著しい焦げや変成等が発生しないものであれば特に限定されるものではないが、スギ、ヒノキ、ベイツガ等がよく使用され、その粒径は３０〜１００メッシュ程度のものが好適である。
【００１５】
また、前記の熱可塑性樹脂２１に配合する熱膨張性マイクロカプセル２３については、熱可塑性樹脂２１、４０〜９５重量％と木粉２２、６０〜５重量％とが配合された成形用組成物１００重量部に対して熱膨張性マイクロカプセル２３を０．５〜５重量部配合できる。熱膨張性マイクロカプセル２３の材質は、塩化ビニリデン、アクリロニトリル、アクリロニトリルと塩化ビニリデンとの共重合体、アクリロニトリルやメタクリロニトリル等のニトリル系樹脂とメチルメタクリレートやエチルメタクリレート等のメタクリル酸エステルとの共重合物、ニトリル系樹脂とメチルアクリレートやエチルアクリレート等のアクリル酸エステルとの共重合体等を殻体２４とし、その平均粒径が１５〜５０μｍの殻体２４中にイソブタン、ノルマルブタン、ノルマルペンタン、イソペンタン、石油エーテル系の低沸点炭化水素を封入したものを利用している。
【００１６】
図２は軸体２の断面の拡大図であり、軸体２には熱可塑性樹脂２１に木粉２２と熱膨張性マイクロカプセル２３が配合されている。熱膨張マイクロカプセル２３は、射出成形工程における熱可塑性樹脂２１を溶融させるための加熱によって、殻体２４が軟化するとともに封入された内部の低沸点炭化水素の蒸気圧が上昇し、殻体２４を変形させるのに十分な圧力となり、殻体２４が引き伸ばされることにより膨張する。その後、軸体２の形状に成形され冷却されると、気化した低沸点炭化水素のガス２５を殻体２４が内部に封じ込めたまま固化するので、図２に示すように熱膨張性マイクロカプセル２３が風船状に形成される。殻体２４が気化した低沸点炭化水素のガス２５を内部に封じ込めて固化するので、軸体２からガス２５が漏れることがなく、軸体２の発泡倍率を容易に調整できるとともに、軸体２の表面にガス漏れによる孔が生じない。
【００１７】
また、本実施形態では、軸体２を射出成形によって成形しているが、これに限るものではなく押出成形などを用いてもよい。
【図面の簡単な説明】
【００１８】
【図１】軸体を削って使用する鉛筆と化粧品およびそれらの軸体の、実施の一形態を示す外観図である。
【図２】本発明に係る軸体の、実施の一形態の断面拡大図である。
【符号の説明】
【００１９】
１    芯材
２    軸体
２１  熱可塑性樹脂
２２  木粉
２３  熱膨張性マイクロカプセル
２４  殻体
２５  低沸点炭化水素のガス
【図１】
2009274330.tif 000003
【図２】
2009274330.tif 000004